(57)【特許請求の範囲】
【請求項１】
入力信号の周波数毎のパワーレベルをパワースペクトルとして抽出するパワースペクトル抽出部と、
前記パワースペクトルを構成する波形の形状が台形状となる範囲を、チャンネル候補であるものと推定し、抽出する第１のチャンネル候補抽出部と、
前記第１のチャンネル候補抽出部により、全帯域より、所定のシンボルレートよりも高いシンボルレートのチャンネル候補が抽出された後、前記所定のシンボルレートよりも高いシンボルレートのチャンネル候補が抽出できた帯域を除外する帯域より、前記第１のチャンネル候補抽出部の手法と同様の手法で、前記所定のシンボルレートよりも低いシンボルレートのチャンネル候補を抽出する第２のチャンネル候補抽出部と
を含むチャンネルスキャン装置。
【請求項２】
前記第１のチャンネル候補抽出部は、前記パワースペクトルを構成する波形のうち、前記台形状の範囲の中心位置、および幅に基づいて、前記チャンネル候補の中心周波数、およびシンボルレートを推定する
請求項１に記載のチャンネルスキャン装置。
【請求項３】
前記第１のチャンネル候補抽出部は、前記パワースペクトルの波形のうち、所定の勾配からなるチルト成分を含む波形について、前記チルト成分を含む波形を補正した後、前記パワースペクトルのうちの台形状の波形の範囲をチャンネル候補として抽出する
請求項１に記載のチャンネルスキャン装置。
【請求項４】
前記チルト成分を含むパワースペクトルの波形より前記チルト成分を低周波成分として抽出するローパスフィルタと、
前記ローパスフィルタにより抽出されたチルト成分を、前記チルト成分を含む波形より減算する減算部とをさらに含み、
前記第１のチャンネル候補抽出部は、前記ローパスフィルタを制御して、前記チルト成分を含むパワースペクトルの波形よりチルト成分を抽出させ、さらに、前記減算部を制御して、前記チルト成分を含む波形から、前記ローパスフィルタにより抽出されたチルト成分を減算させることで、前記チルト成分を含む波形を補正した後、補正された前記パワースペクトルの波形のうち、前記台形状の範囲をチャンネル候補として抽出する
請求項３に記載のチャンネルスキャン装置。
【請求項５】
前記第１のチャンネル候補抽出部は、前記パワースペクトルの波形の台形状の範囲のうち、隣接する複数の台形状の範囲を１のチャンネル候補として抽出する
請求項１に記載のチャンネルスキャン装置。
【請求項６】
前記第１のチャンネル候補抽出部によりチャンネル候補が抽出できた帯域を除外する帯域について、前記パワースペクトルのピーク位置、および前記ピーク位置よりも所定値だけ小さな２の位置より構成される台形状のパワースペクトルの波形を構成する範囲をチャンネル候補として抽出する第３のチャンネル候補抽出部を含む
請求項１に記載のチャンネルスキャン装置。
【請求項７】
前記第３のチャンネル候補抽出部は、前記第１のチャンネル候補抽出部によりチャンネル候補が抽出できた帯域を除外する帯域について、前記ピーク位置より段階的に離れた距離のパワースペクトルの値を順次求めることにより、前記ピーク位置よりも所定値だけ小さな２の位置を検出し、前記パワースペクトルのピーク位置、および前記ピーク位置よりも所定値だけ小さな２の位置より構成される台形状のパワースペクトルの波形の範囲をチャンネル候補として抽出する
請求項６に記載のチャンネルスキャン装置。
【請求項８】
前記第１のチャンネル候補抽出部により抽出されたチャンネル候補のうち、チャンネルとして有効であるか否かを確認するチャンネル確認部と、
前記チャンネル確認部により有効なチャンネルであると確認されたチャンネルを記憶するチャンネル記憶部とを含む
請求項１に記載のチャンネルスキャン装置。
【請求項９】
前記チャンネル候補における信号の復調処理の初期段階で必要とされるクロックが同期できるか否かを確認するクロック同期確認部と、
前記クロック同期確認部により同期が確認されたチャンネル候補における、前記復調処理の最終段階であるトランスポートストリームの同期再生が可能であるか否かを確認するトランスポートストリーム同期確認部とをさらに含み、
前記チャンネル確認部は、前記第１のチャンネル候補抽出部により抽出されたチャンネル候補のうち、前記トランスポートストリーム同期確認部により前記トランスポートストリームが再生可能であることが確認されたチャンネル候補を、前記チャンネルとして有効であるものとして確認する
請求項８に記載のチャンネルスキャン装置。
【請求項１０】
チャンネルスキャン装置のチャンネルスキャン方法であって、
入力信号の周波数毎のパワーレベルをパワースペクトルとして抽出するパワースペクトル抽出処理をし、
前記パワースペクトルを構成する波形の形状が台形状となる範囲を、チャンネル候補であるものと推定し、抽出する第１のチャンネル候補抽出処理をし、
前記第１のチャンネル候補抽出処理により、全帯域より、所定のシンボルレートよりも高いシンボルレートのチャンネル候補が抽出された後、前記所定のシンボルレートよりも高いシンボルレートのチャンネル候補が抽出できた帯域を除外する帯域より、前記第１のチャンネル候補抽出処理の手法と同様の手法で、前記所定のシンボルレートよりも低いシンボルレートのチャンネル候補を抽出する第２のチャンネル候補抽出処理をする
ステップを含むチャンネルスキャン方法。
【請求項１１】
チャンネルスキャン装置を制御するコンピュータを、
入力信号の周波数毎のパワーレベルをパワースペクトルとして抽出するパワースペクトル抽出部と、
前記パワースペクトルを構成する波形の形状が台形状となる範囲を、チャンネル候補であるものと推定し、抽出する第１のチャンネル候補抽出部と、
前記第１のチャンネル候補抽出部により、全帯域より、所定のシンボルレートよりも高いシンボルレートのチャンネル候補が抽出された後、前記所定のシンボルレートよりも高いシンボルレートのチャンネル候補が抽出できた帯域を除外する帯域より、前記第１のチャンネル候補抽出部の手法と同様の手法で、前記所定のシンボルレートよりも低いシンボルレートのチャンネル候補を抽出する第２のチャンネル候補抽出部と
して機能させるプログラム。
【発明の詳細な説明】
【技術分野】
【０００１】
本技術は、チャンネルスキャン装置および方法、並びにプログラムに関し、特に、チャンネルスキャンを高速で実現できるようにしたチャンネルスキャン装置および方法、並びにプログラムに関する。
【背景技術】
【０００２】
テレビジョン受像機におけるチャンネルの自動検出技術が一般に普及している。
【０００３】
このうち、特に欧州の衛星放送においては、シンボルレート（信号帯域幅）に規定がなく、シンボルレートの異なる信号が混在していることから、チャンネルの検出に膨大な時間が必要とされていた。
【０００４】
このようなチャンネルの検出を高速化する技術として、伝送帯域の受信電力を測定すると共に記憶し、スライディング周波数窓で平方電力を計算し、平方電力に基づいて有効チャンネルを選択する技術が提案されている（特許文献１参照）。
【先行技術文献】
【非特許文献】
【０００５】
【特許文献１】特開２００９−００５３５２号公報
【発明の概要】
【発明が解決しようとする課題】
【０００６】
しかしながら、特許文献１の技術においても、全帯域に対して、スライディング周波数窓について総当りで平方電力を計算する必要があるため、チャンネルの検出には膨大な時間が必要とされる恐れがあった。
【０００７】
本技術はこのような状況に鑑みてなされたものであり、特に、受信環境における周波数に対する受信電力のパワースペクトルを利用することにより、高速で、かつ、読み落としのないチャンネルスキャンを実現できるようにするものとである。
【課題を解決するための手段】
【０００８】
入力信号の周波数毎のパワーレベルをパワースペクトルとして抽出するパワースペクトル抽出部と、前記パワースペクトルを構成する波形の形状が台形状となる範囲を、チャンネル候補であるものと推定し、抽出する第１のチャンネル候補抽出部と、前記第１のチャンネル候補抽出部により、全帯域より、所定のシンボルレートよりも高いシンボルレートのチャンネル候補が抽出された後、前記所定のシンボルレートよりも高いシンボルレートのチャンネル候補が抽出できた帯域を除外する帯域より、前記第１のチャンネル候補抽出部の手法と同様の手法で、前記所定のシンボルレートよりも低いシンボルレートのチャンネル候補を抽出する第２のチャンネル候補抽出部とを含む。
【０００９】
前記第１のチャンネル候補抽出部には、前記パワースペクトルを構成する波形のうち、前記台形状の範囲の中心位置、および幅に基づいて、前記チャンネル候補の中心周波数、およびシンボルレートを推定させるようにすることができる。
【００１１】
前記第１のチャンネル候補抽出部には、前記パワースペクトルの波形のうち、所定の勾配からなるチルト成分を含む波形について、前記チルト成分を含む波形を補正した後、前記パワースペクトルのうちの台形状の波形の範囲をチャンネル候補として抽出させるようにすることができる。
【００１２】
前記チルト成分を含むパワースペクトルの波形より前記チルト成分を低周波成分として抽出するローパスフィルタと、前記ローパスフィルタにより抽出されたチルト成分を、前記チルト成分を含む波形より減算する減算部とをさらに含ませるようにすることができ、前記第１のチャンネル候補抽出部には、前記ローパスフィルタを制御して、前記チルト成分を含むパワースペクトルの波形よりチルト成分を抽出させ、さらに、前記減算部を制御して、前記チルト成分を含む波形から、前記ローパスフィルタにより抽出されたチルト成分を減算させることで、前記チルト成分を含む波形を補正した後、補正された前記パワースペクトルの波形のうち、前記台形状の範囲をチャンネル候補として抽出させるようにすることができる。
【００１３】
前記第１のチャンネル候補抽出部には、前記パワースペクトルの波形の台形状の範囲のうち、隣接する複数の台形状の範囲を１のチャンネル候補として抽出させるようにすることができる。
【００１４】
前記第１のチャンネル候補抽出部によりチャンネル候補が抽出できた帯域を除外する帯域について、前記パワースペクトルのピーク位置、および前記ピーク位置よりも所定値だけ小さな２の位置より構成される台形状のパワースペクトルの波形を構成する範囲をチャンネル候補として抽出する第３のチャンネル候補抽出部を含ませるようにすることができる。
【００１５】
前記第３のチャンネル候補抽出部には、前記第１のチャンネル候補抽出部によりチャンネル候補が抽出できた帯域を除外する帯域について、前記ピーク位置より段階的に離れた距離のパワースペクトルの値を順次求めることにより、前記ピーク位置よりも所定値だけ小さな２の位置を検出し、前記パワースペクトルのピーク位置、および前記ピーク位置よりも所定値だけ小さな２の位置より構成される台形状のパワースペクトルの波形の範囲をチャンネル候補として抽出させるようにすることができる。
【００１６】
前記第１のチャンネル候補抽出部により抽出されたチャンネル候補のうち、チャンネルとして有効であるか否かを確認するチャンネル確認部と、前記チャンネル確認部により有効なチャンネルであると確認されたチャンネルを記憶するチャンネル記憶部とを含ませるようにすることができる。
【００１７】
前記チャンネル候補における信号の復調処理の初期段階で必要とされるクロックが同期できるか否かを確認するクロック同期確認部と、前記クロック同期確認部により同期が確認されたチャンネル候補における、前記復調処理の最終段階であるトランスポートストリームの同期再生が可能であるか否かを確認するトランスポートストリーム同期確認部とをさらに含ませるようにすることができ、前記チャンネル確認部には、前記第１のチャンネル候補抽出部により抽出されたチャンネル候補のうち、前記トランスポートストリーム同期確認部により前記トランスポートストリームが再生可能であることが確認されたチャンネル候補を、前記チャンネルとして有効であるものとして確認させるようにすることができる。
【００１８】
本技術の一側面のチャンネルスキャン方法は、チャンネルスキャン装置のチャンネルスキャン方法であって、入力信号の周波数毎のパワーレベルをパワースペクトルとして抽出するパワースペクトル抽出処理をし、前記パワースペクトルを構成する波形の形状が台形状となる範囲を、チャンネル候補であるものと推定し、抽出する第１のチャンネル候補抽出処理をし、前記第１のチャンネル候補抽出処理により、全帯域より、所定のシンボルレートよりも高いシンボルレートのチャンネル候補が抽出された後、前記所定のシンボルレートよりも高いシンボルレートのチャンネル候補が抽出できた帯域を除外する帯域より、前記第１のチャンネル候補抽出処理の手法と同様の手法で、前記所定のシンボルレートよりも低いシンボルレートのチャンネル候補を抽出する第２のチャンネル候補抽出処理をするステップを含む。
【００１９】
本技術の一側面のプログラムは、チャンネルスキャン装置を制御するコンピュータを、入力信号の周波数毎のパワーレベルをパワースペクトルとして抽出するパワースペクトル抽出部と、前記パワースペクトルを構成する波形の形状が台形状となる範囲を、チャンネル候補であるものと推定し、抽出する第１のチャンネル候補抽出部と、前記第１のチャンネル候補抽出部により、全帯域より、所定のシンボルレートよりも高いシンボルレートのチャンネル候補が抽出された後、前記所定のシンボルレートよりも高いシンボルレートのチャンネル候補が抽出できた帯域を除外する帯域より、前記第１のチャンネル候補抽出部の手法と同様の手法で、前記所定のシンボルレートよりも低いシンボルレートのチャンネル候補を抽出する第２のチャンネル候補抽出部として機能させる。
【００２０】
本技術の一側面においては、入力信号の周波数毎のパワーレベルがパワースペクトルとして抽出され、パワースペクトルを構成する波形の形状が台形状となる範囲が、第１のチャンネル候補であるものと推定され、抽出され、全帯域より、所定のシンボルレートよりも高いシンボルレートのチャンネル候補が抽出された後、前記所定のシンボルレートよりも高いシンボルレートのチャンネル候補が抽出できた帯域を除外する帯域より、前記第１のチャンネル候補の抽出手法と同様の手法で、前記所定のシンボルレートよりも低いシンボルレートの第２のチャンネル候補が抽出される。
【００２１】
本技術のチャンネルスキャン装置は、独立した装置であっても良いし、チャンネルスキャン処理を行うブロックであっても良い。
【発明の効果】
【００２２】
本技術の一側面によれば、入力信号より高速でチャンネルを検出することが可能となる。
【図面の簡単な説明】
【００２３】
【図１】本技術を適用した信号処理装置の一実施の形態の構成例を示すブロック図である。
【図２】図１のチャンネルスキャン処理部の構成例を説明するブロック図である。
【図３】図１のチャンネルスキャン処理部におけるチャンネルスキャン処理を説明するフローチャートである。
【図４】図３における１次候補処理を説明するフローチャートである。
【図５】最大値および最小値、並びに線分の設定方法を説明する図である。
【図６】チャンネル候補の求め方を説明する図である。
【図７】マルチパスを考慮したチャンネル候補の求め方を説明する図である。
【図８】チルト波形を考慮したチャンネル候補の求め方を説明する図である。
【図９】図３における２次候補処理を説明するフローチャートである。
【図１０】図３における３次候補処理を説明するフローチャートである。
【図１１】定電力低下点の検出方法を説明する図である。
【図１２】前方定電力低下点検出処理を説明するフローチャートである。
【図１３】定電力低下点の検出方法を説明する図である。
【図１４】汎用のパーソナルコンピュータの構成例を説明する図である。
【発明を実施するための最良の形態】
【００２４】
［信号処理装置の構成例］
図１は、本技術を適用した信号処理装置の一実施の形態の構成例を示している。図１の信号処理部１１は、図示せぬアンテナを介して受信された入力信号より受信可能な放送チャンネル（以下、単にチャンネルとも称する）をスキャンして記憶する。また、信号処理装置１１は、必要に応じて、記憶されたチャンネルを切り替えて出力する。
【００２５】
信号処理装置１１は、チューナ２１、デコード部２２、およびチャンネルスキャン処理部２３を備えている。
【００２６】
チューナ２１は、チャンネルスキャン処理部２３により順次帯域を切り替えながら入力信号を受信して、デコード部２２に供給する。
【００２７】
デコード部２２は、チューナ２１より供給されてくるチャンネルの入力信号をデコードし、出力する。また、デコード部２２は、パワースペクトル抽出部３１を備えており、供給されてくる入力信号の周波数帯域毎の受信電力、すなわち、パワーをパワースペクトルとしてチャンネルスキャン処理部２３に供給する。尚、ここでいうパワースペクトルとは、横軸を周波数とし、縦軸をパワー（例えば、受信電力を示すｄB単位）とするスペクトル波形である。
【００２８】
チャンネルスキャン処理部２３は、デコード部２２のパワースペクトル抽出部３１より供給されてくるパワースペクトルに基づいて、チャンネルスキャン処理を実行して、入力信号の全帯域をチャンネルスキャンして、有効なチャンネルを特定すると共に記憶する。
【００２９】
［チャンネルスキャン処理部の構成例］
次に、図２のブロック図を参照して、チャンネルスキャン処理部２３の構成例について説明する。
【００３０】
チャンネルスキャン処理部２３は、パワースペクトル取得部５１、チャンネル候補抽出部５２、有効チャンネル確認部５３、および有効チャンネル記憶部５４を備えている。
【００３１】
パワースペクトル取得部５１は、デコード部２２のパワースペクトル抽出部３１より供給されてくるパワースペクトルを抽出し、チャンネル候補抽出部５２に供給する。
【００３２】
チャンネル候補抽出部５２は、チャンネルの候補となる帯域を抽出して有効チャンネル確認部５３に供給する。
【００３３】
より詳細には、チャンネル候補抽出部５２は、１次候補抽出部６１乃至３次候補抽出部を備えている。１次候補抽出部６１は、パワースペクトルの全帯域より、シンボルレートが、例えば、２０ＭＳｐｓより高い、比較的シンボルレートの高いチャンネル候補を抽出する。
【００３４】
また、２次候補抽出部６２は、パワースペクトルの全帯域のうち、１次候補抽出部６１によりチャンネル候補が抽出された帯域を除外した帯域より、例えば、５乃至２０ＭＳｐｓ程度の、シンボルレートの高さが中程度の帯域のチャンネル候補を抽出する。
【００３５】
さらに、３次候補抽出部６３は、パワースペクトルの全帯域のうち、１次候補抽出部６１および２次候補抽出部６２によりチャンネル候補が求められている帯域を除外した帯域より、例えば、５ＭＳｐｓよりシンボルレートの低いチャンネル候補を抽出する。尚、１次候補抽出部６１乃至３次候補抽出部６３により抽出されるチャンネル候補のシンボルレートについては、大小関係が満たされている限り、その他のシンボルレートのチャンネル候補が抽出されるようにしてもよい。
【００３６】
また、１次候補抽出部６１は、最大値最小値検出部７１、線分生成部７２、候補抽出部７３、マルチパス候補抽出部７４、およびチルト候補抽出部７５を備えている。
【００３７】
最大値最小値検出部７１は、パワースペクトル取得部５１より供給されてくるパワースペクトルの最大値および最小値を検出する。線分生成部７２は、供給されてきたパワースペクトル上に、最大値最小値検出部７１により検出された最大値および最小値に対して等間隔に目盛り状の間隔線を設定すると共に、間隔線上であってパワースペクトル間で挟まれる領域に線分を設定する。候補抽出部７３は、線分生成部７２により設定された線分のうち、中心位置がほぼ同一であって、かつ、ほぼ同一の長さの線分が複数に存在する、パワースペクトル上の台形状の領域をチャンネル候補として抽出する。
【００３８】
マルチパス候補抽出部７４は、パワースペクトル上でマルチパスを考慮した線分を設定してチャンネル候補を抽出する。より詳細には、マルチパス候補抽出部７４は、パワースペクトル上で、候補抽出部７３によりチャンネル候補として求められる台形状の領域について、隣接する台形状の領域間のディップ（マルチパスディップ）が、マルチパスにより生じたものとみなし、マルチパスディップがない場合に求められる台形状の領域を、マルチパスを考慮したチャンネル候補として抽出する。
【００３９】
チルト候補抽出部７５は、パワースペクトル上でチャンネル候補となる台形状の波形がチルトして（傾いて）いる状態を想定し、傾き成分となるチルト成分を補正した後、求められる台形状の波形に基づいて、チャンネル候補を抽出する。より詳細には、チルト候補抽出部７５は、LPF（Low Pass Filter）７５ａ、および減算器７５ｂを備えており、波形が傾いている領域のパワースペクトルに対してLPF７５ａを掛けて平滑化することでチルト成分を抽出する。さらに、チルト候補抽出部７５は、減算器７５ｂを利用して、オリジナルの波形からチルト成分を減算することにより、見かけ上の傾きが除去されることにより求められる台形状の領域をチャンネル候補として抽出する。
【００４０】
２次候補抽出部６２は、最大値最小値検出部９１、線分生成部９２、候補抽出部９３、マルチパス候補抽出部９４、およびチルト候補抽出部９５を備えている。
【００４１】
尚、最大値最小値検出部９１、線分生成部９２、候補抽出部９３、マルチパス候補抽出部９４、およびチルト候補抽出部９５（LPF９５ａおよび減算器９５ｂを含む）は、それぞれ抽出されるチャンネル候補のシンボルレートが、１次候補抽出部６１におけるシンボルレートよりも低いものとなることを除き、最大値最小値検出部７１、線分生成部７２、候補抽出部７３、マルチパス候補抽出部７４、およびチルト候補抽出部７５（LPF７５ａおよび減算器７５ｂを含む）と基本的に同一の機能を備えているので、その説明は省略するものとする。
【００４２】
３次候補抽出部６３は、ローカルピーク検出部１１１、定電力低下点検出部１１２、および候補抽出部１１３を備えている。ローカルピーク検出部１１１は、パワースペクトルの全帯域のうち、１次候補抽出部６１および２次候補抽出部６２によりチャンネル候補が抽出された帯域を除外する帯域において、ピークとなる位置を検出する。定電力低下点検出部１１２は、ローカルピークとなる位置から前後の帯域において、ローカルピーク点の前後の周波数において、そのパワー（電力）より所定値だけ低下する２点の定電力低下点の位置を検出する。候補抽出部１１３は、ローカルピーク点、および２点の定電力低下点となる合計３点を含む台形状の領域をチャンネル候補として抽出する。
【００４３】
有効チャンネル確認部５３は、チャンネル候補抽出部５２より供給されてくるチャンネル候補となる帯域の情報に基づいて、それらがチャンネルとして有効であるか否かを確認する。より詳細には、有効チャンネル確認部５３は、クロック同期確認部１３１、およびＴＳ同期確認部１３２とを備えている。クロック同期確認部１３１は、チャンネル候補として抽出された帯域の信号を復調する際の初期に必要とされるクロックの同期が可能であるか否かを確認し、同期が可能であるチャンネル候補の情報を、ＴＳ同期確認部１３２に供給する。
【００４４】
ＴＳ同期確認部１３２は、クロック同期確認部１３１によりクロックの同期が確認されているチャンネル候補について、復調処理における最終段階で生成されるTS（トランスポートストリーム）の再生に必要な同期が可能であるか否かを確認する。すなわち、TS同期が確認できた場合、チャンネル候補は、有効なチャンネルであることが確認されることになる。チャンネル候補のうち、有効なチャンネルであると確認できた場合、有効チャンネル確認部５３は、有効なチャンネルとして確認されたチャンネル候補となる帯域の情報を有効チャンネル記憶部５４に記憶させる。
【００４５】
［チャンネルスキャン処理］
次に、図３のフローチャートを参照して、チャンネルスキャン処理について説明する。
【００４６】
ステップＳ１において、デコード部２２のパワースペクトル抽出部３１は、パワースペクトル抽出処理を実行することで、チューナ２１で受信可能な帯域の入力信号を順次取得し、周波数毎のパワースペクトルを求めて、チャンネルスキャン処理部２３に供給する。尚、パワースペクトル抽出処理については、本出願人により出願されている特開２０１０−２７８９１１号公報を参照されたい。
【００４７】
ステップＳ２において、チャンネルスキャン処理部２３は、１次候補抽出処理を実行して、例えば、２０ＭＳｐｓよりも高い、比較的シンボルレートの高い有効なチャンネルを抽出して有効チャンネル記憶部５４に記憶させる。尚、１次候補抽出処理については、図４のフローチャートを参照して、詳細を後述するものとする。
【００４８】
ステップＳ３において、チャンネルスキャン処理部２３は、２次候補抽出処理を実行して、全帯域のうち既にチャンネルが抽出されている帯域を除外する帯域より、例えば、５乃至２０ＭＳｐｓ程度の、中程度の高さのシンボルレートのチャンネルを抽出して有効チャンネル記憶部５４に記憶させる。尚、２次候補抽出処理については、図９のフローチャートを参照して、詳細を後述するものとする。
【００４９】
ステップＳ４において、チャンネルスキャン処理部２３は、３次候補抽出処理を実行して、全帯域のうち既にチャンネルが抽出されている帯域を除外する帯域より、例えば、５ＭＳｐｓより低い、比較的シンボルレートの低いチャンネルを抽出して有効チャンネル記憶部５４に記憶させる。尚、３次候補抽出処理については、図１０のフローチャートを参照して、詳細を後述するものとする。
【００５０】
以上の処理により、シンボルレートの高さに応じて、比較的高速で抽出可能なシンボルレートの高いチャンネルから順次段階的に抽出すると共に、一旦、有効なチャンネルが求められた帯域については除外して、段階的にスキャンに時間の係るシンボルレートの低いチャンネルを抽出するようにすることで、有効チャンネルを高速で抽出することが可能となる。
【００５１】
［１次候補抽出処理］
次に、図４のフローチャートを参照して、１次候補抽出処理について説明する。
【００５２】
ステップＳ２１において、パワースペクトル取得部５１は、デコード部２２より供給されてくるパワースペクトルを取得し、チャンネル候補抽出部５２に供給する。これにより、１次候補抽出部６１は、供給されてきたパワースペクトルを取得する。パワースペクトルは、例えば、図５の実線で示されるような波形である。尚、図５のパワースペクトルにおいては、横軸が周波数であり、縦軸がパワー（受信電力：ｄB）を示しているものである。
【００５３】
ステップＳ２２において、最大値最小値検出部７１は、パワースペクトルにおける最大値、および最小値を検出する。例えば、図５のパワースペクトルの場合、最大値最小値検出部７１は、図５における最大値Ｍａｘ、および最小値Ｍｉｎを検出する。
【００５４】
ステップＳ２３において、線分生成部７２は、パワースペクトル、並びに最大値および最小値の情報に基づいて、パワースペクトル上に、チャンネル候補となる帯域を抽出するための線分を生成する。より詳細には、まず、線分生成部７２は、例えば、図５のパワースペクトルの場合、最大値Ｍａｘおよび最小値Ｍｉｎの間に、一点鎖線で示されるように、等間隔の刻み線Ｌ１乃至Ｌ６を引く。次に、線分生成部７２は、図６で示されるように、上述した刻み線上であって、パワースペクトルの上に凸となる波形に内包される部分に線分を生成する。より具体的には、線分生成部７２は、例えば、図６の実線の矢印で示されるように、線分ＬＬ１１，ＬＬ１２，ＬＬ２１乃至ＬＬ２３，ＬＬ３１乃至ＬＬ３３，ＬＬ４１乃至ＬＬ４３，ＬＬ５１乃至ＬＬ５３，ＬＬ６１乃至ＬＬ６４，ＬＬ１０１，ＬＬ１１１，ＬＬ１１２，ＬＬ１２１を生成する。
【００５５】
ステップＳ２４において、候補抽出部７３は、線分の情報に基づいて、１次候補となるチャンネル候補を抽出する。より具体的には、候補抽出部７３は、線分のうち中心位置が近く、かつ、所定の長さ以上であって、類似する長さの線分が複数に存在する帯域については、チャンネルが存在するとされる台形状の波形が存在するものとみなして、その帯域をチャンネル候補として抽出し、有効チャンネル確認部５３に供給する。尚、ここでいう所定の長さ以上であるとは、例えば、シンボルレートが２０ＭＳｐｓよりも高い帯域に対応する長さを示す。
【００５６】
すなわち、図６の場合、点線で囲まれる線分ＬＬ１１およびＬＬ１２からなるチャンネル候補Ｃｈ１、線分ＬＬ２１乃至ＬＬ２３からなるチャンネル候補Ｃｈ２、および線分ＬＬ３１乃至ＬＬ３３からなるチャンネル候補Ｃｈ３が、それぞれ候補となりうる。また、点線で囲まれる線分ＬＬ４１乃至ＬＬ４３からなるチャンネル候補Ｃｈ４、線分ＬＬ５１乃至ＬＬ５３からなるチャンネル候補Ｃｈ５、線分ＬＬ６１乃至ＬＬ６４からなるチャンネル候補Ｃｈ６が、それぞれ候補となりうる。この場合、候補抽出部７３は、各チャンネル候補を構成する線分の長さの平均値、または最大値をシンボルレートにすると共に、線分の中心位置の平均周波数を中心周波数としたチャンネル候補として抽出する。
【００５７】
尚、図６においては、線分ＬＬ１０１，ＬＬ１１１，ＬＬ１１２，ＬＬ１２１については、中心位置が近く、かつ、所定の長さ以上であって、類似する長さの線分が存在しないため、いずれについてもチャンネル候補から除外される。
【００５８】
さらに、例えば、図６の線分ＬＬ２１の長さが、帯域幅２０ＭＳｐｓであった場合、この候補チャンネルＣｈ１乃至Ｃｈ６のうち、チャンネル候補Ｃｈ１，Ｃｈ４については、所定の長さ以上という条件を満たさないことになるため、除外されることになり、Ｃｈ２，Ｃｈ３，Ｃｈ５，Ｃｈ６が１次候補となるチャンネル候補として抽出されることになる。
【００５９】
ステップＳ２５において、マルチパス候補抽出部７４は、マルチパスを考慮して、パワースペクトルのうち、隣接する複数の台形状の領域を１つのチャンネル候補となる台形状の領域にマルチパスディップが入ったものとみなして、チャンネル候補を抽出し、有効チャンネル確認部５３に供給する。より具体的には、例えば、図７の上段で示されるように、線分ＬＬ２１１，ＬＬ２１２からなるチャンネル候補となる台形状領域と、線分ＬＬ２０１乃至ＬＬ２０３からなるチャンネル候補となる台形状領域とが存在している場合、マルチパス候補抽出部７４は、図７の下段で示されるように、それらはマルチパスにより得られた同一のチャンネル候補となる同一の台形状領域にマルチパスディップＤが入ったものとしてみなして、別途チャンネル候補として抽出する。すなわち、この場合、マルチパス候補抽出部７４は、図７の下段において点線で示されるように、線分ＬＬ３３１乃至ＬＬ３１４が存在するものとして、チャンネル候補Ｃｈ１１として抽出する。
【００６０】
ステップＳ２６において、チルト候補抽出部７５は、パワースペクトルのうち、台形状波形が傾いているとみられる領域を台形状波形に整形して、チャンネル候補を抽出し、有効チャンネル確認部５３に供給する。より具体的には、チルト候補抽出部７５は、例えば、図８の上段における台形状波形Ｗ１で示されるような台形状波形が傾いているような波形を検出し、検出範囲をLPF７５ａにより平滑化し、例えば、図８の上段における点線で示されるチルト成分ＬＰを求める。さらに、チルト候補抽出部７５は、減算器７５ｂを制御して、傾いていると見られる台形状波形Ｗ１からチルト成分ＬＰ１を減算させることにより、例えば、図８の下段で示されるような台形状波形Ｗ２を求める。チルト候補抽出部７５は、このようにして求められた台形状波形Ｗ２を利用して、上述したようにシンボルレートおよび中心周波数を求めて、傾いた台形状波形をチャンネル候補として抽出する。
【００６１】
すなわち、ステップＳ２４乃至Ｓ２６の処理により、そのままのパワースペクトルに含まれる台形状領域より求められるチャンネル候補、マルチパスを考慮して隣接する台形状領域を含めたチャンネル候補、および傾いた台形状領域より求められるチャンネル候補の３種類のチャンネル候補が抽出されて、有効チャンネル確認部５３に供給される。有効チャンネル確認部５３は、これらのチャンネル候補を図示せぬメモリに記憶する。
【００６２】
ステップＳ２７において、有効チャンネル確認部５３は、クロック同期確認部１３１を制御して、上述した一連の処理により供給されてきたチャンネル候補について、それぞれデコードに必要とされる初期のクロックの同期を確認する。ここでなされるクロックの同期とは、デコード部２２において、受信されたチャンネルの信号より映像および音声をデコードする際に必要とされる同期処理の中で最も初期の段階で必要とされるクロックの同期である。
【００６３】
ステップＳ２８において、有効チャンネル確認部５３は、クロック同期確認部１３１によりクロックの同期が確認できなかったチャンネル候補を、図示せぬメモリに記憶していたチャンネル候補から除外する。すなわち、このクロックの同期が不能であるチャンネル候補では、例えば、デコードに際して必要とされる初期の処理さえもできないチャンネル候補であることが確認されることとなるので、直ちに有効なチャンネルではないことが確認される。したがって、クロック同期が確認できないチャンネル候補は、有効なチャンネルではないので、候補から除外される。
【００６４】
ステップＳ２９において、有効チャンネル確認部５３は、ＴＳ同期確認部１３２を制御して、上述した一連の処理により供給されてきたチャンネル候補のうち、クロックの同期が確認されたチャンネル候補についてのみ、それぞれＴＳ（トランスポートストリーム）の同期を確認する。ここでなされるＴＳの同期とは、デコード部２２において、受信されたチャンネルの信号より映像および音声をデコードする際に、必要とされる同期処理であり、デコードに際して最後に必要とされる同期である。すなわち、ＴＳの同期が確認されれば、映像および音声が正しくデコードされたことを示し、従って、チャンネル候補として抽出されたチャンネルが有効なチャンネルであることが確認されることになる。
【００６５】
ステップＳ３０において、有効チャンネル確認部５３は、クロック同期確認部１３１によりクロックが同期され、かつ、ＴＳ同期確認部１３２によりＴＳ同期が確認されたチャンネル候補を、有効なチャンネルとして有効チャンネル記憶部５４に記憶させる。尚、ＴＳ同期確認部１３２によりなされるＴＳ同期については、デコード部２２によりなされるデコード処理を実質的に実行し、その結果得られる情報に基づいてなされることになる。したがって、ＴＳ同期は、ステップＳ２７におけるクロック同期の確認処理よりも、処理時間が必要とされることになる。しかしながら、ＴＳ同期を確認する前の段階で、クロック同期が確認されることにより、チャンネル候補から明らかに除外すべきチャンネルが除外された後に、ＴＳ同期が確認されることにより、チャンネル候補が有効であるか否かを確認する処理を最小限とすることができるので、処理速度を高速化することが可能となる。
【００６６】
以上の如く、１次候補抽出処理により、例えば、２０ＭＳｐｓより長い、シンボルレートが比較的高い有効なチャンネルを高速で抽出し、有効チャンネル記憶部５４に記憶させることが可能となる。
【００６７】
［２次候補抽出処理］
次に、図９のフローチャートを参照して、２次候補抽出処理について説明する。尚、図９のフローチャートを参照して説明する２次候補抽出処理については、抽出しようとする対象となるチャンネルのシンボルレートが１次候補抽出処理により抽出されるチャンネル候補より低くなることを除き、基本的な処理については、略同様である。このため、ステップＳ４２乃至Ｓ５０の処理については、その説明を適宜省略するものとする。
【００６８】
すなわち、ステップＳ４１において、２次候補抽出部６２は、有効チャンネル記憶部５４にアクセスし、既に有効なチャンネルとして登録されているチャンネルの情報を取得する。そして、２次候補抽出部６２は、パワースペクトル取得部５１より供給されてくるパワースペクトルのうち、有効なチャンネルとして登録されているチャンネルの帯域を処理対象から除外する。
【００６９】
すなわち、図６を参照して説明したように、パワースペクトルのうち、チャンネル候補Ｃｈ２，Ｃｈ３，Ｃｈ５，Ｃｈ６が全て有効なチャンネルとして抽出されて、有効チャンネル記憶部５４に記憶されている場合、図６の線分ＬＬ２１の長さが、帯域幅２０ＭＳｐｓであったとき、以降のステップＳ４２乃至Ｓ４６の処理でチャンネル候補Ｃｈ１，Ｃｈ４が抽出されることになる。
【００７０】
さらに、ステップＳ４７乃至Ｓ５０の処理により、チャンネル候補Ｃｈ１，Ｃｈ４が有効なチャンネルであるとみなされると、これらのチャンネル候補Ｃｈ１，Ｃｈ４が、それぞれ有効なチャンネルとして有効チャンネル記憶部５４に記憶される。
【００７１】
以上の如く、２次候補抽出処理によれば、例えば、５乃至２０ＭＳｐｓといったシンボルレートが中程度のチャンネルを有効チャンネルとして抽出することが可能となる。また、この際、１次候補抽出処理によりシンボルレート高い有効なチャンネルが先に抽出されることにより、それらの帯域が探索範囲から除外された状態で、よりシンボルレートの低いチャンネル候補を抽出するようにできるので、２次候補抽出処理によるチャンネル候補の抽出処理速度を高速化することが可能となる。
【００７２】
［３次候補抽出処理］
次に、図１０のフローチャートを参照して、３次候補抽出処理について説明する。尚、図１０のフローチャートにおけるステップＳ６９乃至Ｓ７２については、図４を参照して説明したステップＳ２７乃至Ｓ３０と同様であるので、その説明は適宜省略するものとする。
【００７３】
すなわち、ステップＳ６１において、３次候補抽出部６３は、有効チャンネル記憶部５４にアクセスし、既に有効なチャンネルとして登録されているチャンネルの情報を取得する。そして、３次候補抽出部６３は、パワースペクトル取得部５１より供給されてくるパワースペクトルのうち、有効なチャンネルとして登録されているチャンネルの帯域を処理対象から除外する。
【００７４】
ステップＳ６２において、ローカルピーク検出部１１１は、処理対象となる帯域内において、ローカルピークを検出する。より詳細には、ローカルピーク検出部１１１は、所定の粗い周波数間隔で得られるパワーのうち、例えば、図１１の上段の白三角で示されるパワーＳＰ１，ＳＰ１１，ＳＰ１２の場合、図１１の中段で示されるように、前後のパワーＳＰ１１，Ｓｐ１２よりも大きな黒三角で示されるパワーＳＰ１をローカルピークとして検出する。このようなローカルピークは、複数に検出される可能性があるが、ローカルピーク検出部１１１は、ローカルピークとして検出した周波数およびパワーをそれぞれ記憶する。
【００７５】
ステップＳ６３において、定電力低下点検出部１１２は、ローカルピーク検出部１１１が記憶しているローカルピークのうち、未処理のローカルピークを処理対象に設定する。
【００７６】
ステップＳ６４において、定電力低下点検出部１１２は、前方定電力低下点検出処理を実行し、ローカルピークとなる周波数Ｆより前方に存在する前方定電力低下点（ローカルピークとなる周波数よりも小さい方向に存在する定電力低下点）を検出する。
【００７７】
［前方定電力低下点検出処理］
ここで、図１２のフローチャートを参照して、前方定電力低下点検出処理について説明する。
【００７８】
ステップＳ９１において、定電力低下点検出部１１２は、カウンタｋをｋ＝１に設定し、カウンタＡをＡ＝α（定数：ローカルピークを検出する粗い周波数間隔に対して十分小さい値）に設定する。
【００７９】
ステップＳ９２において、定電力低下点検出部１１２は、処理対象となるローカルピークの周波数Ｆに対して、その前後の周波数Ｆ−Ａのパワーを検出する。
【００８０】
ステップＳ９３において、定電力低下点検出部１１２は、検出した周波数Ｆ−Ａのパワーがいずれもローカルピークのパワーの１／２よりも小さいか否かを判定する。すなわち、ローカルピークのパワーよりも１／２程度に定電力だけ小さくなっている点を、定電力低下点とみなし、対応する周波数の点であるか否かを判定する。
【００８１】
ステップＳ９３において、例えば、検出した周波数Ｆ±Ａのパワーがいずれもローカルピークのパワーの１／２よりも小さくない場合、処理は、ステップＳ９４に進む。
【００８２】
ステップＳ９４において、定電力低下点検出部１１２は、カウンタｋを１インクリメントする。
【００８３】
ステップＳ９５において、定電力低下点検出部１１２は、カウンタＡをＡ×２ｋに更新し、処理は、ステップＳ９２に戻る。すなわち、ローカルピークとして検出されたパワーＳＰ１の周波数Ｆに対して、定電力低下点とみなされるまで、順次、その前方の周波数であって、周波数Ｆからの距離が２倍ずつ変化する周波数のパワーとの比較が繰り返される。
【００８４】
すなわち、図１３で示されるように、最初の処理で、ローカルピークであるパワーＳＰ１に対して、その周波数Ｆの前方となる周波数Ｆ−Ａ（Ａ＝ｄ１）となるパワーＳＰ１０１が定電力低下点であるか否かが判定される。ここで、定電力低下点ではないとみなされた場合、次の処理では、Ａは２倍に更新された周波数Ｆ−Ａ（Ａ＝ｄ２＝２×ｄ１）のパワーＳＰ１１１が定電力低下点であるか否かが判定される。また、ここで、定電力低下点ではないとみなされた場合、さらに次の処理では、Ａが、さらに２倍に更新された周波数Ｆ−Ａ（Ａ＝ｄ３＝２×ｄ２＝４×ｄ１）のパワーＳＰ１２１が定電力低下点であるか否かが判定される。
【００８５】
すなわち、シンボルレートが高いほど必要分解能が粗くなるため、ローカルピークとなる周波数Ｆからの周波数上の距離が離れるにつれて、比較すべきパワーの間隔を広げることが可能となる。この結果、比較すべきパワーの点数を減少させながら高速で定電力低下点を検出させることが可能となる。
【００８６】
そして、ステップＳ９３において、例えば、図１１の下段におけるパワーＳＰ２１で示されるように、ローカルピークとなるパワーＳＰ１に対して、１／２となる定電力低下点であるとみなされた場合、処理は、ステップＳ９６に進む。
【００８７】
ステップＳ９６において、候補抽出部１１３は、周波数（Ｆ−Ａ）におけるパワーをローカルピークの周波数より前方に存在する（より周波数の小さい方向に存在する）定電力低下点であるものとみなして記憶する。
【００８８】
以上の処理によりローカルピークとなる周波数Ｆよりも前方の周波数における定電力低下点を高速で検出することが可能となる。
【００８９】
ここで、図１０のフローチャートの説明に戻る。
【００９０】
ステップＳ６５において、定電力低下点検出部１１２は、後方定電力低下点検出処理を実行し、ローカルピークとなる周波数より後方に存在する（より周波数の大きい方向に存在する）定電力低下点を検出する。尚、後方定電力低下点検出処理は、図１２を参照して説明した前方定電力低下点検出処理と基本的に同様であり、その説明は省略するものとする。ただし、後方定電力低下点検出処理においては、周波数Ｆに対してカウンタＡが加算される点が異なり、定電力低下点としては、例えば、図１１の下段で示されるように、パワーＳＰ２２が検出される。また、後方定電力低下点を検索する場合においても、図１２におけるパワーＳＰ１０２，ＳＰ１１２，ＳＰ１２２における距離ｄ１’，ｄ２’，ｄ３’で示されるように、順次、周波数Ｆからの距離が２倍ずつ変化するように設定される。
【００９１】
ステップＳ６６において、候補抽出部１１３は、前方定電力低下点、および後方定電力低下点の情報に基づいて、２点の定電力低下点間の周波数上の位置の情報から中心周波数、およびシンボルレートを算出する。すなわち、図１１の下段で示されるように、ローカルピークＳＰ１１に対する定電力低下点であるパワーＳＰ２１，ＳＰ２２間の中心位置から中心周波数が求められ、同様にして、その２点間の距離からシンボルレートが求められる。
【００９２】
ステップＳ６７において、候補抽出部１１３は、ローカルピーク、およびシンボルレートの情報に基づいて算出された中心周波数およびシンボルレートのチャンネル候補を、有効チャンネル確認部５３に供給する。
【００９３】
ステップＳ６８において、定電力低下点検出部１１２は、未処理となるローカルピークが存在するか否かを判定し、存在する場合、処理は、ステップＳ６３に戻る。
【００９４】
すなわち、未処理のローカルピークがなくなるまで、全てのローカルピークに対して定電力低下点が検出されて、３次候補となるチャンネル候補が登録されるまで、ステップＳ６３乃至Ｓ６８の処理が繰り返される。そして、ステップＳ６８において、未処理のローカルピークが存在しないとみなされた場合、処理は、ステップＳ６９に進む。
【００９５】
そして、ステップＳ６９乃至Ｓ７２の処理により、チャンネル候補が有効であるか否かが確認されて、有効なチャンネルのみが有効チャンネル記憶部５４に記憶される。
【００９６】
以上の処理により、例えば、５ＭＳｐｓよりもシンボルレートの低い狭帯域のチャンネルについては、５ＭＳｐｓよりもシンボルレートの高い有効なチャンネルが抽出できた帯域を除外した帯域から抽出するだけでよく、検索範囲が限定されるため、より高速に抽出することが可能となる。
【００９７】
また、一連のチャンネルスキャン処理により、シンボルレートの高い広帯域のチャンネルから、順次、有効なチャンネルが検出された帯域を除外しつつ、順次シンボルレートの低い狭帯域のチャンネルをスキャンすることで、有効なチャンネルを高速でスキャンできるようになるだけでなく、有効なチャンネルの読み落としを防止することが可能となる。
【００９８】
尚、上述した定電力低下点の検出にあたり説明に使用したカウンタＡは、ローカルピークを求める際の粗い周波数間隔に対して十分に小さな周波数間隔であることが望ましい。また、ローカルピークに対して、その前後の周波数の間隔を順次２倍とすることで定電力低下点を検出する例について説明したが、徐々に間隔が広くなるように設定されれば、必ずしも２倍にする必要はなく、例えば、１．５倍ずつ変化させたり、３倍ずつ変化させるようにしても良い。さらに、定電力低下点の検出にあたり、ローカルピークのパワーに対して、その半分のパワーとなる点を定電力低下点とする例について説明してきたが、一定の電力だけ低下していればよいので、その他の条件を低電力低下点の条件としてもよく、例えば、ローカルピークにおける受信電力に対して数ｄＢだけ低下している点を定電力低下点とするようにしてもよい。
【００９９】
上述した一連の処理は、ハードウェアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１００】
図１４は、上述した一連の処理をプログラムにより実行するコンピュータのハードウェアの構成例を示すブロック図である。
【０１０１】
コンピュータにおいて、CPU（Central Processing Unit）１００１，ROM（Read Only Memory）１００２，RAM（Random Access Memory）１００３は、バス１００４により相互に接続されている。
【０１０２】
バス１００４には、さらに、入出力インタフェース１００５が接続されている。入出力インタフェース１００５には、入力部１００６、出力部１００７、記憶部１００８、通信部１００９、及びドライブ１０１０が接続されている。
【０１０３】
入力部１００６は、キーボード、マウス、マイクロフォンなどよりなる。出力部１００７は、ディスプレイ、スピーカなどよりなる。記憶部１００８は、ハードディスクや不揮発性のメモリなどよりなる。通信部１００９は、ネットワークインタフェースなどよりなる。ドライブ１０１０は、磁気ディスク、光ディスク、光磁気ディスク、又は半導体メモリなどのリムーバブルメディア１０１１を駆動する。
【０１０４】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０１０５】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０１０６】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０１０７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０８】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１０９】
なお、本技術の実施の形態は、上述した実施の形態に限定されるものではなく、本技術の要旨を逸脱しない範囲において種々の変更が可能である。
【０１１０】
例えば、本技術は、１つの機能をネットワークを介して複数の装置で分担、共同して処理するクラウドコンピューティングの構成をとることができる。
【０１１１】
また、上述のフローチャートで説明した各ステップは、１つの装置で実行する他、複数の装置で分担して実行することができる。
【０１１２】
さらに、１つのステップに複数の処理が含まれる場合には、その１つのステップに含まれる複数の処理は、１つの装置で実行する他、複数の装置で分担して実行することができる。
【０１１３】
尚、本技術は、以下のような構成も取ることができる。
（１）  入力信号の周波数毎のパワーレベルをパワースペクトルとして抽出するパワースペクトル抽出部と、
前記パワースペクトルを構成する波形の形状が台形状となる範囲を、チャンネル候補であるものと推定し、抽出する第１のチャンネル候補抽出部と
を含むチャンネルスキャン装置。
（２）  前記第１のチャンネル候補抽出部は、前記パワースペクトルを構成する波形のうち、前記台形状の範囲の中心位置、および幅に基づいて、前記チャンネル候補の中心周波数、およびシンボルレートであるものと推定する
（１）に記載のチャンネルスキャン装置。
（３）  前記第１のチャンネル候補抽出部により、全帯域より、所定のシンボルレートよりも高いシンボルレートのチャンネル候補が抽出された後、前記所定のシンボルレートよりも高いシンボルレートのチャンネル候補が抽出できた帯域を除外する帯域より、前記第１のチャンネル候補抽出部の手法と同様の手法で、前記所定のシンボルレートよりも低いシンボルレートのチャンネル候補を抽出する第２のチャンネル候補抽出部をさらに含む
（１）または（２）に記載のチャンネルスキャン装置。
（４）  前記第１のチャンネル候補抽出部は、前記パワースペクトルの波形のうち、所定の勾配からなるチルト成分を含む波形について、前記チルト成分を含む波形を補正した後、前記パワースペクトルのうちの台形状の波形の範囲をチャンネル候補として抽出する
（１）乃至（３）のいずれかに記載のチャンネルスキャン装置。
（５）  前記チルト成分を含むパワースペクトルの波形より前記チルト成分を低周波成分として抽出するローパスフィルタと、
前記ローパスフィルタにより抽出されたチルト成分を、前記チルト成分を含む波形より減算する減算部とをさらに含み、
前記第１のチャンネル候補抽出部は、前記ローパスフィルタを制御して、前記チルト成分を含むパワースペクトルの波形よりチルト成分を抽出させ、さらに、前記減算部を制御して、前記チルト成分を含む波形から、前記ローパスフィルタにより抽出されたチルト成分を減算させることで、前記チルト成分を含む波形を補正した後、補正された前記パワースペクトルの波形のうち、前記台形状の範囲をチャンネル候補として抽出する
（４）に記載のチャンネルスキャン装置。
（６）  前記第１のチャンネル候補抽出部は、前記パワースペクトルの波形の台形状の範囲のうち、隣接する複数の台形状の範囲を１のチャンネル候補として抽出する
（１）乃至（５）のいずれかに記載のチャンネルスキャン装置。
（７）  前記第１のチャンネル候補抽出部によりチャンネル候補が抽出できた帯域を除外する帯域について、前記パワースペクトルのピーク位置、および前記ピーク位置よりも所定値だけ小さな２の位置より構成される台形状のパワースペクトルの波形を構成する範囲をチャンネル候補として抽出する第３のチャンネル候補抽出部を含む
（１）乃至（６）のいずれかに記載のチャンネルスキャン装置。
（８）  前記第３のチャンネル候補抽出部は、前記第１のチャンネル候補抽出部によりチャンネル候補が抽出できた帯域を除外する帯域について、前記ピーク位置より段階的に離れた距離のパワースペクトルの値を順次求めることにより、前記ピーク位置よりも所定値だけ小さな２の位置を検出し、前記パワースペクトルのピーク位置、および前記ピーク位置よりも所定値だけ小さな２の位置より構成される台形状のパワースペクトルの波形の範囲をチャンネル候補として抽出する
（７）に記載のチャンネルスキャン装置。
（９）  前記チャンネル候補抽出部により抽出されたチャンネル候補のうち、チャンネルとして有効であるか否かを確認するチャンネル確認部と、
前記チャンネル確認部により有効なチャンネルであると確認されたチャンネルを記憶するチャンネル記憶部とを含む
（１）乃至（８）のいずれかに記載のチャンネルスキャン装置。
（１０）
前記チャンネル候補における信号の復調処理の初期段階で必要とされるクロックが同期できるか否かを確認するクロック同期確認部と、
前記クロック同期確認部により同期が確認されたチャンネル候補における、前記復調処理の最終段階である前記トランスポートストリームの同期再生が可能であるか否かを確認するトランスポートストリーム同期確認部とをさらに含み、
前記チ
ャンネル確認部は、前記チャンネル候補抽出部により抽出されたチャンネル候補のうち、前記トランスポートストリーム同期確認部により前記トランスポートストリームが再生可能であることが確認されたチャンネル候補を、前記チャンネルとして有効であるものとして確認する
（９）に記載のチャンネルスキャン装置。
（１１）  チャンネルスキャン装置のチャンネルスキャン方法であって、
入力信号の周波数毎のパワーレベルをパワースペクトルとして抽出するパワースペクトル抽出処理をし、
前記パワースペクトルを構成する波形の形状が台形状となる範囲を、チャンネル候補であるものと推定し、抽出する第１のチャンネル候補抽出処理をする
ステップを含むチャンネルスキャン方法。
（１２）  チャンネルスキャン装置を制御するコンピュータを、
入力信号の周波数毎のパワーレベルをパワースペクトルとして抽出するパワースペクトル抽出部と、
前記パワースペクトルを構成する波形の形状が台形状となる範囲を、チャンネル候補であるものと推定し、抽出する第１のチャンネル候補抽出部と
して機能させるプログラム。
【符号の説明】
【０１１４】
１１  信号処理装置，  ２１  チューナ，  ２２  デコード部，  ２３  チャンネルスキャン処理部，  ３１  パワースペクトル抽出部，  ５１  パワースペクトル取得部，  ５２  チャンネル候補抽出部，  ５３  有効チャンネル確認部，  ５４  有効チャンネル記憶部，  ６１  １次候補抽出部，  ６２  ２次候補抽出部，  ６３  ３次候補抽出部，  ７１  最大値最小値検出部，  ７２  線分生成部，  ７３  候補抽出部，  ７４  マルチパス候補抽出部，  ７５  チルト候補抽出部，  ９１  最大値最小値検出部，  ９２  線分生成部，  ９３  候補抽出部，  ９４  マルチパス候補抽出部，  ９５  チルト候補抽出部，  １１１  ローカルピーク検出部，  １１２  定電力低下点検出部，  １１３  候補抽出部，  １３１  クロック同期確認部，  １３２  ＴＳ同期確認部
【図１】
0005834824.tif 000002
【図２】
0005834824.tif 000003
【図３】
0005834824.tif 000004
【図４】
0005834824.tif 000005
【図５】
0005834824.tif 000006
【図６】
0005834824.tif 000007
【図７】
0005834824.tif 000008
【図８】
0005834824.tif 000009
【図９】
0005834824.tif 000010
【図１０】
0005834824.tif 000011
【図１１】
0005834824.tif 000012
【図１２】
0005834824.tif 000013
【図１３】
0005834824.tif 000014
【図１４】
0005834824.tif 000015